(57)【要約】      （修正有）【課題】高齢者等が容易に靴下を履くことができ、持ち運び及び設置が容易な靴下履き具を提供する。【解決手段】靴下履き具１は、筒形状に形成されており、少なくとも一端側に開口部１１を有し、内部に靴下がつま先側から挿入される本体１０と、本体の開口部１１に設けられ、靴下の履き口近傍が引っ掛けられる滑り止め部２０と、紐形状又は鎖形状に形成され、一端側が本体に接続されている把持部３０と、を備える。【選択図】図１
0003203115.tif 000002
【実用新案登録請求の範囲】
【請求項１】
靴下を履くための靴下履き具であって、
筒形状に形成されており、少なくとも一端側に開口部を有し、内部に前記靴下がつま先側から挿入される本体と、
前記本体の前記開口部に設けられており、前記靴下の履き口近傍が引っ掛けられる滑り止め部と、を備える靴下履き具。
【請求項２】
紐形状又は鎖形状に形成されており、一端側が前記本体に接続されている把持部を、更に備える請求項１に記載の靴下履き具。
【考案の詳細な説明】
【技術分野】
【０００１】
本考案は、靴下履き具に関する。
【背景技術】
【０００２】
従来、靴下は、両手で靴下の履き口近傍を掴み、履き口を開き、前屈して履き口を爪先を挿入してから、履き口を引き上げる。
ところが、高齢者、肥満体型の者、妊婦等（以下、高齢者等とも言う。）は、前屈することが困難な場合があり、このような場合、靴下を履くことが困難になる。
【０００３】
このため、上部が上側に広がるテーパ形状をした靴下保持部を有する靴下保持具に靴下の上部を折り返して被せ、この靴下保持具を、上板の穴から挿入して、穴の開いた中板に設置する靴下着用補助装置が開示されている（特許文献１参照）。この靴下着用補助装置によれば、靴下を被せた靴下保持具を、上板の穴に挿入し中板に設置し、靴下を被せた靴下保持具の上から足を挿入することで、靴下を履くことができる。
【先行技術文献】
【特許文献】
【０００４】
【特許文献１】特開２０１０−２８４３２９号公報
【考案の概要】
【考案が解決しようとする課題】
【０００５】
しかしながら、特許文献１の靴下着用補助装置は、靴下を被せた靴下保持具を上板の穴から挿入して、穴の開いた中板に設置する必要があり、この上板と中板を支持固定するための側板も必要である。このため、靴下着用補助装置は、外形が比較的大きくなり、また、重量も比較的重くなってしまい、高齢者等が持ち運ぶのは困難であり、また、設置場所も限られてしまうという問題があった。
【０００６】
本考案は、高齢者等が容易に靴下を履くことができ、持ち運び及び設置が容易な靴下履き具を提供することを目的とする。
【課題を解決するための手段】
【０００７】
（１）  靴下を履くための靴下履き具であって、
筒形状に形成されており、少なくとも一端側に開口部を有し、内部に前記靴下がつま先側から挿入される本体と、
前記本体の前記開口部に設けられており、前記靴下の履き口近傍が引っ掛けられる滑り止め部と、を備える靴下履き具。
【０００８】
（１）の構成によれば、靴下を履くための靴下履き具は、本体と、滑り止め部と、を備える。
本体は、筒形状に形成されており、少なくとも一端側に開口部を有し、内部に靴下がつま先側から挿入される。
滑り止め部は、本体の開口部に設けられており、靴下の履き口近傍が引っ掛けられる。
【０００９】
（１）の靴下履き具は、以下のように使用される。
まず、使用者は、靴下を本体の内部につま先側から挿入し、履き口を本体の開口部に設けられた滑り止め部に引っ掛ける。そして、使用者は、この状態で靴下履き具を、開口部が横方向を向くように、例えば、床面等に載置する。このとき、使用者は、座ったままの体勢で、靴下履き具を床に放ってもよい。そして、使用者は、足で靴下履き具の開口部が自分の方を向くように調整し、そのまま滑り止め部に引っ掛けられた靴下の内部に足を挿入することで、靴下を履くことができる。
【００１０】
このように、本考案に係る靴下履き具によれば、座ったまま前屈せずに靴下を履くことができるので、高齢者等でも容易に靴下を履くことができる。また、本考案に係る靴下履き具は、筒形状に形成された本体の開口部に滑り止め部が設けられているだけなので、比較的軽量であり、設置スペースの確保も容易である。
したがって、高齢者等が容易に靴下を履くことができ、持ち運び及び設置が容易な靴下履き具を提供できる。
【００１１】
（２）  紐形状又は鎖形状に形成されており、一端側が前記本体に接続されている把持部を、更に備える（１）に記載の靴下履き具。
【００１２】
（２）の構成によれば、靴下履き具は、更に、紐形状又は鎖形状に形成されており、一端側が本体に接続されている把持部を備える。
【００１３】
これにより、使用者は、例えば、座ったままの体勢で、靴下履き具を床に放った場合に、靴下履き具が思わぬ方向へ行ってしまっても、把持部を手繰ることで、靴下履き具を自分の方に引き寄せることができる。
したがって、高齢者等がより容易に靴下を履くことができ、持ち運び及び設置が容易な靴下履き具を提供できる。
【考案の効果】
【００１４】
本考案によれば、高齢者等が容易に靴下を履くことができ、持ち運び及び設置が容易な靴下履き具を提供できる。
【図面の簡単な説明】
【００１５】
【図１】本考案の実施形態に係る靴下履き具の斜視図である。
【図２】本考案の実施形態に係る靴下履き具に靴下が装着された状態を説明するための断面図である。
【図３】本考案の実施形態に係る靴下履き具の使用方法を説明するための断面図である。
【図４】本考案の実施形態の変形例に係る靴下履き具の斜視図である。
【考案を実施するための形態】
【００１６】
本考案の実施形態に係る靴下履き具１について説明する。
図１は、本考案の実施形態に係る靴下履き具の斜視図である。
図２は、本考案の実施形態に係る靴下履き具に靴下が装着された状態を説明するための断面図である。
【００１７】
靴下履き具１は、高齢者等が靴下を履くときに使用され、本体１０と、滑り止め部２０と、把持部３０と、を備える。
【００１８】
本体１０は、筒形状に形成されており、少なくとも一端側に開口部１１を有し、図２に示すように、内部に靴下１００がつま先側から挿入される。
本体１０は、例えば、開口部に平行な断面の外形が円形状の円筒形状に形成されているが、これに限らず、例えば、開口部に平行な断面の外形が楕円形状や略四角形状や略三角形状であってもよい。また、本体１０は、筒形状であれば、床面に接する底面と底面から上方に膨出する天面を備えるドーム形状に形成してもよい。
また、本体１０は、例えば、長さが１５０ｍｍ〜２５０ｍｍで、外径が７０ｍｍ〜２００ｍｍで、厚さが０．５ｍｍ〜３ｍｍで形成されている。
また、本体１０は、例えば、合成樹脂、竹等の木材、金属、紙等の任意の素材で形成することができる。
【００１９】
滑り止め部２０は、本体１０の開口部１１を形成する側縁に設けられており、図２に示すように、靴下１００の履き口近傍が折り返されて引っ掛けられる。
滑り止め部２０は、例えば、ビニルテープ、ゴム素材、布、スポンジ等の任意の素材で形成することができる。また、滑り止め部２０は、例えば、本体１０を竹等の木材で形成した場合、開口部１１を形成する側縁をヤスリがけ等により、表面をけば立たせることで形成してもよい。
【００２０】
なお、本体１０は、一端側のみに限らず、両端側に開口部１１を設けてもよい。また、この場合、滑り止め部２０を一端側の開口部１１にのみ設けてもよいし、両端側の両方の開口部１１に設けてもよい。
また、本体１０には、靴下を装着するときや、靴下履き具１に装着された靴下を履くときに使用者の目安となる目印を、本体１０の外周や開口部１１や滑り止め部２０に設けてもよい。
【００２１】
把持部３０は、紐形状又は鎖形状に形成されており、一端側が本体１０に接続されている。
把持部３０は、紐で形成してもよいし、鎖形状のチェーン等で形成してもよい。
なお、靴下履き具１は、把持部３０を設けなくともよい。
【００２２】
靴下履き具１の簡易的な製造方法としては、例えば、市販されている１．５ｌ用の円筒形状に形成されたペットボトルの略上部１／３を切断し、残った略下部２／３を本体１０とする。
そして、切り口である開口部１１に、滑り止め部２０となるビニルテープを貼ることで靴下履き具１が製造できる。
また、必要に応じて、本体１０の外周に孔を空け、この孔に把持部３０としての紐に一端を結び付けてもよい。
【００２３】
次に、靴下履き具１の使用方法について説明する。
図３は、本考案の実施形態に係る靴下履き具の使用方法を説明するための断面図である。
まず、使用者は、靴下１００を本体１０の内部につま先側から挿入し、履き口を本体１０の開口部１１に設けられた滑り止め部２０に引っ掛ける。そして、使用者は、この状態で靴下履き具１を、開口部１１が横方向を向くように、例えば、床面５０に載置する。このとき、使用者は、座ったままの体勢で、靴下履き具１を床５０に放ってもよい。そして、使用者は、把持部３０を手繰り、靴下履き具１を自身の近傍に寄せ、足２００で靴下履き具１の開口部１１が自分の方を向くように調整し、そのまま滑り止め部２０に引っ掛けられた靴下１００の内部に足を挿入することで、靴下１００を履くことができる。
【００２４】
次に、本考案の実施形態の変形例に係る靴下履き具１Ａについて説明する。
図４は、本考案の実施形態の変形例に係る靴下履き具の斜視図である。
靴下履き具１Ａは、本体１０に欠き込み１２が形成され、錘部４０が設けられている点が、本実施形態に係る靴下履き具１と異なる。
【００２５】
欠き込み１２は、本体１０において、滑り止め部２０が設けられた一方側から、他方側に向けて、中間位置まで形成されている。
欠き込み１２は、本体１０において、滑り止め部２０が設けられた一方側から他方側に向けて、幅が徐々に窄まる形状で形成されているが、これに限らず、足首が挿入可能な幅を有すれば、上面視で四角形状等の任意の形状でよい。
また、欠き込み１２は、本体１０において、滑り止め部２０が設けられた一方側から、他方側に向けて、本体１０の中間位置まで形成されているが、これに限らず、一方側から他方側まで形成されていてもよい。
このような欠き込み１２を設けることで、足裏に対するスネの角度が直角に近い体勢でも、容易に靴下を履くことが可能となる。
【００２６】
錘部４０は、本体１０の内部において、把持部３０が接続された位置と対向する位置（開口部１１を正面から見た場合の本体１０の中心点に対し、把持部３０が接続された位置と点対称となる位置）に設けられている。
このような錘部４０を設けることで、靴下履き具１Ａを床５０に放った場合、靴下履き具１Ａが転がっても、錘部４０が下方に来るように自然に静止する。このため、使用者は、錘部４０が足裏に来るように、靴下を滑り止め部２０に引っ掛けることで、靴下履き具１Ａを床５０に放った後、靴下の向きを調整することなく、靴下履き具１Ａが自然に静止した状態で、足を靴下の内部に挿入することで、靴下を履くことができる。
【００２７】
なお、本考案は前記実施形態に限定されるものではなく、本考案の目的を達成できる範囲での変形、改良等は本考案に含まれるものである。
【符号の説明】
【００２８】
１      靴下履き具
１０    本体
１１    開口部
２０    滑り止め部
３０    把持部
１００  靴下
【図１】
0003203115.tif 000003
【図２】
0003203115.tif 000004
【図３】
0003203115.tif 000005
【図４】
0003203115.tif 000006